(57)【特許請求の範囲】
【請求項１】
直交周波数分割多重通信方式の無線通信により他の機器と通信を行う通信機であって、
入力信号の要素の数以上の個数のデータの集合であるデータ系列であって、データのシフトを行っていない同じデータ系列との間の自己相関値が、データのシフトを行ったデータ系列との間の自己相関値に比べて高い、自己相関特性を有する任意のデータ系列を、前記入力信号の要素の数に分割してサブデータ系列を生成する系列生成手段と、
前記入力信号の要素と前記サブデータ系列とを一対一で対応づけ、前記入力信号が所定の基準を満たす場合には、前記サブデータ系列の各要素に該サブデータ系列に対応づけた前記入力信号の要素を乗算する演算を行い、該演算を施した前記サブデータ系列を前記系列生成手段で分割したときの位置に並べて合成して変調データを生成し、前記入力信号が前記所定の基準を満たさない場合には、前記サブデータ系列の各要素の符号を反転し、該サブデータ系列に対応付けた前記入力信号の要素を反転して乗算する演算を行い、該演算を施した前記サブデータ系列を前記系列生成手段で分割したときの位置に並べて合成して前記変調データを生成する変調手段と、
前記変調データの逆高速フーリエ変換を行うＩＦＦＴ手段と、
前記ＩＦＦＴ手段の演算結果を合成してデータシンボルを生成する合成手段と、
前記データシンボルを含む送信フレームを生成して送信する送信手段と、
を備えることを特徴とする通信機。
【請求項２】
前記変調手段において、前記入力信号が前記所定の基準を満たす場合とは、値が１である要素の数が該入力信号の要素の数を２で除算した値以上である場合であることを特徴とする請求項１に記載の通信機。
【請求項３】
前記系列生成手段は、前記データ系列を、前記入力信号の要素の数に等分割することを特徴とする請求項１または２に記載の通信機。
【請求項４】
前記データ系列はＣＡＺＡＣ(Constant  Amplitude  Zero Auto-Correlation)系列であることを特徴とする請求項１ないし３のいずれか１項に記載の通信機。
【請求項５】
直交周波数分割多重通信方式の無線通信により他の機器と通信を行う通信機であって、
データシンボルを含む送信フレームを受信する受信手段と、
前記データシンボルを抽出して直並列変換し、高速フーリエ変換を行って受信並列信号を生成するＦＦＴ手段と、
前記受信並列信号の要素の数と同じ個数のデータの集合であるデータ系列であって、データのシフトを行っていない同じデータ系列との間の自己相関値が、データのシフトを行ったデータ系列との間の自己相関値に比べて高い、自己相関特性を有する所定の受信側データ系列を用いて、前記受信側データ系列と前記受信並列信号との間または前記受信側データ系列の逆高速フーリエ変換を行って合成したデータと前記データシンボルとの間にある相関関係に基づき、前記データシンボルの同期位置を検出する同期手段と、
前記同期手段で検出した前記同期位置に基づき、前記ＦＦＴ手段で抽出した前記データシンボルから生成した前記受信並列信号または該受信並列信号を並直列変換したデータについて、絶対値が所定の閾値以上である要素の値を１に置き換え、該要素以外の要素の値を０に置き換えて判定後データを生成する判定手段と、
前記判定後データを所定の数に分割して判定後サブデータを生成し、各要素が前記判定後サブデータに一対一で対応づけられ、所定の基準を満たす前記判定後サブデータに対応づけられた要素の値が１であり、該要素以外の要素の値が０である復調後データを生成し、前記相関関係が負の相関である場合には、前記復調後データの各要素を該要素を反転した値で置き換える復調手段と、
を備えることを特徴とする通信機。
【請求項６】
前記復調手段において、前記判定後サブデータが前記所定の基準を満たす場合とは、値が１である要素の数が該判定後サブデータの要素の数を２で除算した値以上である場合であることを特徴とする請求項５に記載の通信機。
【請求項７】
前記復調手段は、前記判定後データを、前記所定の数に等分割することを特徴とする請求項５または６に記載の通信機。
【請求項８】
前記判定手段において、前記所定の閾値は、前記受信並列信号の要素ごとに定められ、前記受信側データ系列において該要素と同じ位置にある要素の絶対値を２で除算した値であることを特徴とする請求項５ないし７のいずれか１項に記載の通信機。
【請求項９】
前記受信側データ系列はＣＡＺＡＣ(Constant  Amplitude  Zero Auto-Correlation)系列であることを特徴とする請求項５ないし８のいずれか１項に記載の通信機。
【請求項１０】
直交周波数分割多重通信方式の無線通信により他の機器と通信を行う通信機が行う通信方法であって、
入力信号の要素の数以上の個数のデータの集合であるデータ系列であって、データのシフトを行っていない同じデータ系列との間の自己相関値が、データのシフトを行ったデータ系列との間の自己相関値に比べて高い、自己相関特性を有する任意のデータ系列を、前記入力信号の要素の数に分割してサブデータ系列を生成する系列生成ステップと、
前記入力信号の要素と前記サブデータ系列とを一対一で対応づけ、前記入力信号が所定の基準を満たす場合には、前記サブデータ系列の各要素に該サブデータ系列に対応づけた前記入力信号の要素を乗算する演算を行い、該演算を施した前記サブデータ系列を前記系列生成ステップで分割したときの位置に並べて合成して変調データを生成し、前記入力信号が前記所定の基準を満たさない場合には、前記サブデータ系列の各要素の符号を反転し、該サブデータ系列に対応付けた前記入力信号の要素を反転して乗算する演算を行い、該演算を施した前記サブデータ系列を前記系列生成ステップで分割したときの位置に並べて合成して前記変調データを生成する変調ステップと、
前記変調データの逆高速フーリエ変換を行うＩＦＦＴステップと、
前記ＩＦＦＴステップの演算結果を合成してデータシンボルを生成する合成ステップと、
前記データシンボルを含む送信フレームを生成して送信する送信ステップと、
を備えることを特徴とする通信方法。
【請求項１１】
直交周波数分割多重通信方式の無線通信により他の機器と通信を行う通信機が行う通信方法であって、
データシンボルを含む送信フレームを受信する受信ステップと、
前記データシンボルを抽出して直並列変換し、高速フーリエ変換を行って受信並列信号を生成するＦＦＴステップと、
前記受信並列信号の要素の数と同じ個数のデータの集合であるデータ系列であって、データのシフトを行っていない同じデータ系列との間の自己相関値が、データのシフトを行ったデータ系列との間の自己相関値に比べて高い、自己相関特性を有する所定の受信側データ系列を用いて、前記受信側データ系列と前記受信並列信号との間または前記受信側データ系列の逆高速フーリエ変換を行って合成したデータと前記データシンボルとの間にある相関関係に基づき、前記データシンボルの同期位置を検出する同期ステップと、
前記同期ステップで検出した前記同期位置に基づき、前記ＦＦＴステップで抽出した前記データシンボルから生成した前記受信並列信号または該受信並列信号を並直列変換したデータについて、絶対値が所定の閾値以上である要素の値を１に置き換え、該要素以外の要素の値を０に置き換えて判定後データを生成する判定ステップと、
前記判定後データを所定の数に分割して判定後サブデータを生成し、各要素が前記判定後サブデータに一対一で対応づけられ、所定の基準を満たす前記判定後サブデータに対応づけられた要素の値が１であり、該要素以外の要素の値が０である復調後データを生成し、前記相関関係が負の相関である場合には、前記復調後データの各要素を該要素を反転した値で置き換える復調ステップと、
を備えることを特徴とする通信方法。
【発明の詳細な説明】
【技術分野】
【０００１】
本発明は、通信機および通信方法に関する。
【背景技術】
【０００２】
ＯＦＤＭ（Orthogonal  Frequency-Division  Multiplexing：直交周波数分割多重）方式の通信では、入力信号をサブキャリア変調し、ＩＦＦＴ（Inverse  Fast  Fourier  Transformation：逆高速フーリエ変換）を行い、ベースバンド信号を生成する。そのため、サブキャリアの数が増え、ＦＦＴ（Fast  Fourier  Transformation：高速フーリエ変換）サイズが大きくなると、大きなピークを持つベースバンド信号が生成され、ＰＡＰＲ（Peak-to-Average  Power  Ratio：ピーク対平均電力比）が高くなるという性質を持っている。ＰＡＰＲが高くなると、信号を歪みなく伝送するために広範囲において線形性を有する増幅器が必要となる。そこでＰＡＰＲを低減するための技術が開発されている。
【０００３】
特許文献１では、ＰＡＰＲを低減するため、ＩＦＦＴを行う前に逐次決定法により算出した最適位相に基づきサブキャリア変調信号の位相を制御する。
【先行技術文献】
【特許文献】
【０００４】
【特許文献１】特開２００６−１６５７８１号公報
【発明の概要】
【発明が解決しようとする課題】
【０００５】
ＯＦＤＭ方式の通信では、ＰＡＰＲを低減することが課題となっている。特許文献１では、ＰＡＰＲを低減する最適位相を算出するために繰り返し計算処理を行い、サブキャリアごとに位相を制御する必要がある。また特許文献１に開示されている技術では、ＰＡＰＲの低減の程度を制御することはできない。
【０００６】
本発明は、上述のような事情に鑑みてなされたものであり、ＯＦＤＭ方式の通信において、ＰＡＰＲを低減し、さらにＰＡＰＲの低減の程度を制御することを目的とする。
【課題を解決するための手段】
【０００７】
上記目的を達成するため、本発明の第１の観点に係る通信機は、
直交周波数分割多重通信方式の無線通信により他の機器と通信を行う通信機であって、
入力信号の要素の数以上の個数のデータの集合であるデータ系列であって、データのシフトを行っていない同じデータ系列との間の自己相関値が、データのシフトを行ったデータ系列との間の自己相関値に比べて高い、自己相関特性を有する任意のデータ系列を、前記入力信号の要素の数に分割してサブデータ系列を生成する系列生成手段と、
前記入力信号の要素と前記サブデータ系列とを一対一で対応づけ、前記入力信号が所定の基準を満たす場合には、前記サブデータ系列の各要素に該サブデータ系列に対応づけた前記入力信号の要素を乗算する演算を行い、該演算を施した前記サブデータ系列を前記系列生成手段で分割したときの位置に並べて合成して変調データを生成し、前記入力信号が前記所定の基準を満たさない場合には、前記サブデータ系列の各要素の符号を反転し、該サブデータ系列に対応付けた前記入力信号の要素を反転して乗算する演算を行い、該演算を施した前記サブデータ系列を前記系列生成手段で分割したときの位置に並べて合成して前記変調データを生成する変調手段と、
前記変調データの逆高速フーリエ変換を行うＩＦＦＴ手段と、
前記ＩＦＦＴ手段の演算結果を合成してデータシンボルを生成する合成手段と、
前記データシンボルを含む送信フレームを生成して送信する送信手段と、
を備えることを特徴とする。
【０００８】
好ましくは、前記変調手段において、前記入力信号が前記所定の基準を満たす場合とは、値が１である要素の数が該入力信号の要素の数を２で除算した値以上である場合である。
【０００９】
好ましくは、前記系列生成手段は、前記データ系列を、前記入力信号の要素の数に等分割する。
【００１０】
好ましくは、前記データ系列はＣＡＺＡＣ(Constant  Amplitude  Zero Auto-Correlation)系列である。
【００１１】
本発明の第２の観点に係る通信機は、
直交周波数分割多重通信方式の無線通信により他の機器と通信を行う通信機であって、
データシンボルを含む送信フレームを受信する受信手段と、
前記データシンボルを抽出して直並列変換し、高速フーリエ変換を行って受信並列信号を生成するＦＦＴ手段と、
前記受信並列信号の要素の数と同じ個数のデータの集合であるデータ系列であって、データのシフトを行っていない同じデータ系列との間の自己相関値が、データのシフトを行ったデータ系列との間の自己相関値に比べて高い、自己相関特性を有する所定の受信側データ系列を用いて、前記受信側データ系列と前記受信並列信号との間または前記受信側データ系列の逆高速フーリエ変換を行って合成したデータと前記データシンボルとの間にある相関関係に基づき、前記データシンボルの同期位置を検出する同期手段と、
前記同期手段で検出した前記同期位置に基づき、前記ＦＦＴ手段で抽出した前記データシンボルから生成した前記受信並列信号または該受信並列信号を並直列変換したデータについて、絶対値が所定の閾値以上である要素の値を１に置き換え、該要素以外の要素の値を０に置き換えて判定後データを生成する判定手段と、
前記判定後データを所定の数に分割して判定後サブデータを生成し、各要素が前記判定後サブデータに一対一で対応づけられ、所定の基準を満たす前記判定後サブデータに対応づけられた要素の値が１であり、該要素以外の要素の値が０である復調後データを生成し、前記相関関係が負の相関である場合には、前記復調後データの各要素を該要素を反転した値で置き換える復調手段と、
を備えることを特徴とする。
【００１２】
好ましくは、前記復調手段において、前記判定後サブデータが前記所定の基準を満たす場合とは、値が１である要素の数が該判定後サブデータの要素の数を２で除算した値以上である場合である。
【００１３】
好ましくは、前記復調手段は、前記判定後データを、前記所定の数に等分割する。
【００１４】
好ましくは、前記判定手段において、前記所定の閾値は、前記受信並列信号の要素ごとに定められ、前記受信側データ系列において該要素と同じ位置にある要素の絶対値を２で除算した値である。
【００１５】
好ましくは、前記受信側データ系列はＣＡＺＡＣ(Constant  Amplitude  Zero Auto-Correlation)系列である。
【００１６】
本発明の第３の観点に係る通信方法は、
直交周波数分割多重通信方式の無線通信により他の機器と通信を行う通信機が行う通信方法であって、
入力信号の要素の数以上の個数のデータの集合であるデータ系列であって、データのシフトを行っていない同じデータ系列との間の自己相関値が、データのシフトを行ったデータ系列との間の自己相関値に比べて高い、自己相関特性を有する任意のデータ系列を、前記入力信号の要素の数に分割してサブデータ系列を生成する系列生成ステップと、
前記入力信号の要素と前記サブデータ系列とを一対一で対応づけ、前記入力信号が所定の基準を満たす場合には、前記サブデータ系列の各要素に該サブデータ系列に対応づけた前記入力信号の要素を乗算する演算を行い、該演算を施した前記サブデータ系列を前記系列生成ステップで分割したときの位置に並べて合成して変調データを生成し、前記入力信号が前記所定の基準を満たさない場合には、前記サブデータ系列の各要素の符号を反転し、該サブデータ系列に対応付けた前記入力信号の要素を反転して乗算する演算を行い、該演算を施した前記サブデータ系列を前記系列生成ステップで分割したときの位置に並べて合成して前記変調データを生成する変調ステップと、
前記変調データの逆高速フーリエ変換を行うＩＦＦＴステップと、
前記ＩＦＦＴステップの演算結果を合成してデータシンボルを生成する合成ステップと、
前記データシンボルを含む送信フレームを生成して送信する送信ステップと、
を備えることを特徴とする。
【００１７】
本発明の第４の観点に係る通信方法は、
直交周波数分割多重通信方式の無線通信により他の機器と通信を行う通信機が行う通信方法であって、
データシンボルを含む送信フレームを受信する受信ステップと、
前記データシンボルを抽出して直並列変換し、高速フーリエ変換を行って受信並列信号を生成するＦＦＴステップと、
前記受信並列信号の要素の数と同じ個数のデータの集合であるデータ系列であって、データのシフトを行っていない同じデータ系列との間の自己相関値が、データのシフトを行ったデータ系列との間の自己相関値に比べて高い、自己相関特性を有する所定の受信側データ系列を用いて、前記受信側データ系列と前記受信並列信号との間または前記受信側データ系列の逆高速フーリエ変換を行って合成したデータと前記データシンボルとの間にある相関関係に基づき、前記データシンボルの同期位置を検出する同期ステップと、
前記同期ステップで検出した前記同期位置に基づき、前記ＦＦＴステップで抽出した前記データシンボルから生成した前記受信並列信号または該受信並列信号を並直列変換したデータについて、絶対値が所定の閾値以上である要素の値を１に置き換え、該要素以外の要素の値を０に置き換えて判定後データを生成する判定ステップと、
前記判定後データを所定の数に分割して判定後サブデータを生成し、各要素が前記判定後サブデータに一対一で対応づけられ、所定の基準を満たす前記判定後サブデータに対応づけられた要素の値が１であり、該要素以外の要素の値が０である復調後データを生成し、前記相関関係が負の相関である場合には、前記復調後データの各要素を該要素を反転した値で置き換える復調ステップと、
を備えることを特徴とする。
【発明の効果】
【００１８】
本発明によれば、ＯＦＤＭ方式の通信において、ＰＡＰＲを低減し、さらにＰＡＰＲの低減の程度を制御することが可能になる。
【図面の簡単な説明】
【００１９】
【図１】本発明の実施の形態に係る通信機の構成例を示すブロック図である。
【図２】実施の形態に係る通信機の異なる構成例を示すブロック図である。
【図３】実施の形態に係る通信機が行う変調処理を示す図である。
【図４】実施の形態に係る通信機が行う送信制御の動作の一例を示すフローチャートである。
【図５】実施の形態に係る通信機が行う判定処理および復調処理を示す図である。
【図６】実施の形態に係る通信機が行う受信制御の動作の一例を示すフローチャートである。
【図７】シミュレーションしたベースバンド信号のＰＡＰＲのＣＣＤＦ特性を示す図である。
【図８】シミュレーションしたＩＦＦＴ部の演算結果の信号点配置図である。
【図９】シミュレーションしたＩＦＦＴ部の演算結果の信号点配置図である。
【図１０】実施の形態に係る通信機の異なる構成例を示すブロック図である。
【図１１】実施の形態に係る通信機が行う受信制御の動作の他の一例を示すフローチャートである。
【発明を実施するための形態】
【００２０】
以下、本発明の実施の形態について図面を参照して詳細に説明する。なお図中、同一または同等の部分には同一の符号を付す。以下の説明において、ＩＦＦＴ（Inverse  Fast  Fourier  Transformation：逆高速フーリエ変換）は、ＩＦＦＴとＩＤＦＴ（Inverse  Discrete  Fourier  Transformation：逆離散フーリエ変換）を含む概念とする。したがって本発明の実施の形態においては、ＩＦＦＴの代わりに、ＩＤＦＴを行うよう構成してもよい。同様にＦＦＴ（Fast  Fourier  Transformation：高速フーリエ変換）は、ＦＦＴとＤＦＴ（Discrete  Fourier  Transformation：離散フーリエ変換）を含む概念とする。またＩＤＦＴおよびＤＦＴを行う場合は、以下の説明におけるＦＦＴサイズとは、ＤＦＴのサイズを意味する。
【００２１】
図１は、本発明の実施の形態に係る通信機の構成例を示すブロック図である。通信機１は、ＯＦＤＭ（Orthogonal  Frequency-Division  Multiplexing：直交周波数分割多重）方式の無線通信により他の機器と通信を行う。通信機１は、アンテナ１０、変調部１１、系列生成部１２、ＩＦＦＴ部１３、合成部１４、送信部１５、およびコントローラ２０を備える。
【００２２】
コントローラ２０は、ＣＰＵ（Central  Processing  Unit：中央処理装置）２１、ＲＡＭ（Random  Access  Memory）２３、およびＲＯＭ（Read-Only  Memory）２４を備える。複雑化を避け、理解を容易にするために、コントローラ２０から各部への信号線が省略されているが、コントローラ２０は通信機１の各部にＩ／Ｏ（Input／Output）２２を介して接続しており、それらの処理の開始、終了、処理内容の制御を行う。
【００２３】
ＲＡＭ２３には、例えば送信フレームを生成するためのデータが記憶されている。ＲＯＭ２４は、コントローラ２０が通信機１の動作を制御するための制御プログラムを格納する。コントローラ２０は、制御プログラムに基づいて、通信機１を制御する。
【００２４】
図２は、実施の形態に係る通信機の異なる構成例を示すブロック図である。上述の通信機１に受信機能をもたせるため、図２に示す通信機１はさらに復調部３１、判定部３２、同期部３３、系列生成部３４、ＦＦＴ部３５、受信部３６、および送受信切替部３７を備える。送信機能および受信機能を備える図２に示す通信機１を用いて、通信機１が行う通信方法について以下に説明する。
【００２５】
系列生成部１２は、入力信号の要素の数以上の個数のデータの集合であるデータ系列であって、自己相関特性を有する任意のデータ系列を入力信号の要素の数に分割してサブデータ系列を生成する。自己相関特性を有する任意のデータ系列とは、データのシフトを行っていない同じデータ系列との間の自己相関値が、データの任意のシフトを行ったデータ系列との間の自己相関値に比べて高いデータ系列である。データの任意のシフトを行ったデータ系列は、データのシフトを行っていないデータ系列と比べて、少なくとも１の要素の値が異なる。そのようなデータ系列として、例えばＣＡＺＡＣ(Constant  Amplitude  Zero  Auto-Correlation)系列を用いることができる。ＣＡＺＡＣ系列の要素数を、例えば入力信号の要素の数Ｍの自然数倍だとすると、ＣＡＺＡＣ系列の要素の数Ｎは、下記（１）式で表すことができる。系列生成部１２は、入力信号の要素の数についての情報を予め保持しているものとする。
【００２６】
【数１】
0005712953.tif 000002
【００２７】
ＣＡＺＡＣ系列は、下記（２）式で表され、ＣＡＺＡＣ系列の各要素は、下記（３）式で表される。
【００２８】
【数２】
0005712953.tif 000003
【００２９】
【数３】
0005712953.tif 000004
【００３０】
系列生成部１２は、下記（４）式で表されるように、ＣＡＺＡＣ系列を入力信号の要素の数に分割してサブデータ系列ｂ０、ｂ１、・・・、ｂＭ−１を生成する。ＣＡＺＡＣ系列の要素の数は入力信号の要素の数の自然数倍でなくともよく、各サブデータ系列の要素の数は、同じでなくともよいが、各サブデータ系列の要素の数が同じになるように、系列生成部１２でＣＡＺＡＣ系列を等分割すると、変調部１１の処理の実装を簡易化することができる。
【００３１】
【数４】
0005712953.tif 000005
【００３２】
変調部１１は、入力信号の要素とサブデータ系列とを一対一で対応付ける。入力信号ｄは、下記（５）式で表される。入力信号ｄの各要素の値は０または１である。下記（５）式においては、入力信号ｄを列ベクトルで表したが、入力信号ｄは直列信号のままであってもよいし、該直列信号を直並列変換して生成した並列信号であってもよい。変調部１１は、例えばｄ０とｂ０、ｄ１とｂ１、・・・、ｄＭ−１とｂＭ−１とを対応付ける
【００３３】
【数５】
0005712953.tif 000006
【００３４】
変調部１１は、入力信号が所定の基準を満たす場合には、サブデータ系列の各要素に該サブデータ系列に対応づけた入力信号の要素を乗算し、サブデータ系列を分割したときの位置に並べて合成して変調データを生成する。入力信号が所定の基準を満たす場合とは、例えば、値が１である要素の数が該入力信号の要素の数を２で除算した値以上である場合である。変調部１１は、入力信号が所定の基準を満たす場合に、サブデータ系列ｂ０の各要素に該サブデータ系列に対応づけた入力信号の要素ｄ０を乗算する。上述の演算を施したサブデータ系列ｂ’０は、下記（６）式で表される。サブデータ系列ｂ１に上述の演算を施したサブデータ系列ｂ’１、およびサブデータ系列ｂＭ−１に上述の演算を施したサブデータ系列ｂ’Ｍ−１は、それぞれ下記（７）、（８）式で表される。
【００３５】
【数６】
0005712953.tif 000007
【００３６】
【数７】
0005712953.tif 000008
【００３７】
【数８】
0005712953.tif 000009
【００３８】
変調部１１は、下記（９）式で表されるように、上述の演算を施したサブデータ系列を、系列生成部１２において分割したときの位置に並べて合成して変調データを生成する。
【００３９】
【数９】
0005712953.tif 000010
【００４０】
変調部１１は、入力信号が所定の基準を満たさない場合には、サブデータ系列の各要素の符号を反転し、該サブデータ系列に対応づけた入力信号の要素を反転して乗算し、サブデータ系列を分割したときの位置に並べて合成して変調データを生成する。入力信号の要素を反転するということは、値が０である要素を１に置き換え、値が１である要素を０に置き換えることを意味する。変調部１１は、入力信号が所定の基準を満たさない場合に、サブデータ系列ｂ０の各要素の符号を反転し、該サブデータ系列に対応づけた入力信号の要素ｄ０を反転して乗算する。上述の演算を施したサブデータ系列ｂ’０は、下記（１０）式で表される。下記（１０）式中でアッパーラインが付されたｄ０は、ｄ０を反転させた値である。
【００４１】
【数１０】
0005712953.tif 000011
【００４２】
変調部１１は、他のサブデータ系列にも同様に上述の演算を施し、上述の演算を施したサブデータ系列を、系列生成部１２において分割したときの位置に並べて合成して変調データを生成する。変調部１１は、変調データをＩＦＦＴ部１３に送る。
【００４３】
所定の基準は、上述の基準に限られず、例えば入力信号の要素の内、少なくとも１つの要素の値が１である場合を、所定の基準を満たす場合としてもよい。
【００４４】
ＩＦＦＴ部１３は、変調データのＩＦＦＴを行い、演算結果を合成部１４に送る。合成部１４は、ＩＦＦＴ部１３の演算結果を合成してデータシンボルを生成し、送信部１５に送る。送信部１５は、データシンボルを含む送信フレームを生成して、送受信切替部３７およびアンテナ１０を介して他の機器に送信する。
【００４５】
図３は、実施の形態に係る通信機が行う変調処理を示す図である。横軸は要素であり、縦軸は要素の絶対値である。ＣＡＺＡＣ系列の各要素は複素数であるので、要素の絶対値を用いて表示を簡易化する。入力信号は所定の基準を満たし、入力信号の要素の数Ｍ＝８とし、上記（１）式中のａ＝２とする。図３（ａ）は、入力信号を表し、図３（ｂ）は、ＣＡＺＡＣ系列を表し、図３（ｃ）は、変調データを表す。入力信号１１０１００１０の各要素に、ＣＡＺＡＣ系列の要素ｃ０〜ｃ１５を２つずつ対応づける。入力信号が所定の基準を満たす場合の上述の演算を施し、絶対値が図３（ｃ）に示すような値となる変調データが生成される。変調データの要素の値は入力信号に基づき決定されるので、後述するように受信側で入力信号の復元が可能となる。
【００４６】
図４は、実施の形態に係る通信機が行う送信制御の動作の一例を示すフローチャートである。系列生成部１２は、自己相関特性を有する任意のデータ系列を入力信号の要素の数に分割してサブデータ系列を生成する（ステップＳ１１０）。変調部１１は、入力信号の要素とサブデータ系列とを一対一で対応付ける（ステップＳ１２０）。入力信号が所定の基準を満たす場合には（ステップＳ１３０：Ｙ）、変調部１１は、サブデータ系列の各要素に該サブデータ系列に対応づけた入力信号の要素を乗算する（ステップＳ１４０）。
【００４７】
入力信号が所定の基準を満たさない場合には（ステップＳ１３０：Ｎ）、変調部１１は、サブデータ系列の各要素の符号を反転し、該サブデータ系列に対応づけた入力信号の要素を反転して乗算する（ステップＳ１５０）。変調部１１は、ステップＳ１４０、Ｓ１５０で演算を施したサブデータ系列を、系列生成部１２で分割したときの位置に並べて合成して変調データを生成する（ステップＳ１６０）。
【００４８】
ＩＦＦＴ部１３は、変調データのＩＦＦＴを行う（ステップＳ１７０）。合成部１４は、ＩＦＦＴ部１３の演算結果を合成してデータシンボルを生成する（ステップＳ１８０）。送信部１５は、データシンボルを含む送信フレームを生成し、送信する（ステップＳ１９０）。ステップＳ１９０の送信処理が完了すると、処理を終了する。
【００４９】
受信側での処理を以下に説明する。受信部３６は、アンテナ１０および送受信切替部３７を介してデータシンボルを含む送信フレームを受信し、ＦＦＴ部３５に送る。ＦＦＴ部３５は、データシンボルを抽出して直並列変換し、ＦＦＴを行って受信並列信号を生成する。系列生成部３４は、受信並列信号の要素の数と同じ個数のデータの集合であるデータ系列であって、自己相関特性を有する所定の受信側データ系列を生成し、同期部３３に送る。自己相関特性を有するデータ系列とは、データのシフトを行っていない同じデータ系列との間の自己相関値が、データのシフトを行ったデータ系列との間の自己相関値に比べて高いデータ系列である。所定の受信側データ系列は、系列生成部１２で用いたデータ系列と同じデータ系列である。
【００５０】
同期部３３は、受信側データ系列と受信並列信号との相関分析を行い、相関関係の有無を検出し、データシンボルの同期位置を検出する。相関関係を検出できない場合には、同期部３３は相関関係が無い旨をＦＦＴ部３５に通知し、ＦＦＴ部３５はデータシンボルを抽出するタイミングを変えてデータシンボルの直並列変換を行い、ＦＦＴを行い、同期部３３が相関分析を行うことを繰り返す。正の相関または負の相関を検出した場合には、同期部３３は、同期をとった受信並列信号および正の相関または負の相関を検出した旨を判定部３２に送る。
【００５１】
判定部３２は、同期部３３で同期をとった受信並列信号に基づき、以下の処理を行う。判定部３２は、受信並列信号または該受信並列信号を並直列変換したデータについて、絶対値が所定の閾値以上である要素の値を１に置き換え、該要素以外の要素の値を０に置き換えて判定後データを生成する。所定の閾値は、例えば、受信並列信号の要素ごとに定められ、受信側データ系列において該要素と同じ位置にある要素の絶対値を２で除算した値を用いる。また所定の閾値として、受信側データ系列の要素の絶対値を２で除算した値以外の実数を用いるよう構成してもよい。
【００５２】
受信並列信号ｒは、変調部１１で生成した上記（９）式で表される変調データに一致する。絶対値が所定の閾値以上である要素の値を１に置き換え、該要素以外の要素の値を０に置き換えて生成した判定後データｓは、下記（１１）式で表される。
【００５３】
【数１１】
0005712953.tif 000012
【００５４】
判定部３２は、受信並列信号を並直列変換したデータに、上述の演算を施すよう構成してもよい。その場合には、判定後データｓは、上記（１１）式の転置行列で表される直列信号となる。判定部３２は、判定後サブデータおよび同期部３３で正の相関または負の相関を検出した旨を復調部３１に送る。
【００５５】
復調部３１は、判定後データを所定の数に分割して判定後サブデータを生成する。所定の数とは、系列生成部１２でデータ系列を分割して生成したサブデータ系列の個数であり、復調部３１は、系列生成部１２におけるデータ系列の分割の仕方と同様に、判定後データを分割して判定後サブデータを生成する。復調部３１は、判定後データｓを下記（１２）式で表されるように分割して判定後サブデータｔ０、ｔ１、・・・、ｔＭ−１を生成する。判定後サブデータｔ０の各要素は、下記（１３）式で表される。下記（１２）、（１３）式では、列ベクトルを用いて判定後サブデータを表しているが、判定部３２で受信並列信号を並直列変換したデータに上述の演算を施した場合には、判定後サブデータは、下記（１２）、（１３）式の転置行列で表される直列信号となる。
【００５６】
【数１２】
0005712953.tif 000013
【００５７】
【数１３】
0005712953.tif 000014
【００５８】
復調部３１は、同期部３３で正の相関関係を検出した場合には、各要素が判定後サブデータに一対一で対応づけられ、所定の基準を満たす判定後サブデータに対応づけられた要素の値が１であり、該要素以外の要素の値が０である復調後データを生成する。所定の基準を満たす場合とは、例えば、値が１である要素の数が該判定後サブデータの要素の数を２で除算した値以上である場合である。
【００５９】
復調部３１は、同期部３３で負の相関関係を検出した場合には、各要素が判定後サブデータに一対一で対応づけられ、所定の基準を満たす判定後サブデータに対応づけられた要素の値が１であり、該要素以外の要素の値が０である復調後データを生成し、復調後データの各要素を該要素を反転した値で置き換える。
【００６０】
下記（１４）式で表される、復調部３１が生成した復調後データｕは、入力信号ｄに一致する。下記（１４）式では、復調後データを列ベクトルで表したが、復調後データは直列信号であってもよい。復調後データが並列信号である場合には、並直列変換を行い、直列信号にして他の機器に送るよう構成すればよい。
【００６１】
【数１４】
0005712953.tif 000015
【００６２】
図５は、実施の形態に係る通信機が行う判定処理および復調処理を示す図である。受信側は、図３に示す変調処理を行って生成した変調データに基づくデータシンボルを含む送信フレームを受信したものとし、同期部３３は正の相関を検出したものとする。横軸は要素であり、縦軸は要素の絶対値であり、点線は閾値を示している。図５（ａ）は同期部３３で同期をとった受信並列信号または該受信並列信号の並直列変換をしたデータを表している。図５（ａ）に示す信号は雑音の影響を受けており、図３（ｃ）に示す変調データと絶対値が異なる。図５（ｂ）は、絶対値が閾値以上の要素の値を１とし、それ以外の要素の値を０として生成した判定後データを表す。図５（ｃ）は、判定後データを２つの要素を含む判定後サブデータに分割し、値が１である要素の数が１以上であれば、該判定後サブデータに対応付けた要素の値を１とし、それ以外の場合は０として生成した、復調後データを表す。復帰後データは図３（ａ）に示す入力信号と一致し、受信側で入力信号を復元できることがわかる。
【００６３】
図６は、実施の形態に係る通信機が行う受信制御の動作の一例を示すフローチャートである。受信部３６は、アンテナ１０および送受信切替部３７を介してデータシンボルを含む送信フレームを受信する（ステップＳ２１０）。ＦＦＴ部３５は、データシンボルを抽出して直並列変換し、ＦＦＴを行って受信並列信号を生成する（ステップＳ２２０）。同期部３３は、受信側データ系列と受信並列信号との相関分析を行う（ステップＳ２３０）。相関関係を検出しなかった場合には（ステップＳ２４０：Ｎ）、その旨をＦＦＴ部３５に通知し、ステップＳ２２０に戻って、ＦＦＴ部３５はデータシンボルを抽出するタイミングを変えてデータシンボルの直並列変換を行い、ＦＦＴを行い、同期部３３が相関分析を行うことを繰り返す。
【００６４】
正の相関または負の相関を検出した場合には（ステップＳ２４０：Ｙ）、判定部３２は、同期部３３で同期をとった受信並列信号または該受信並列信号を並直列変換したデータについて、絶対値が所定の閾値以上である要素の値を１に置き換え、該要素以外の要素の値を０に置き換えて判定後データを生成する（ステップＳ２５０）。復調部３１は、判定後データを所定の数に分割して判定後サブデータを生成する（ステップＳ２６０）。復調部３１は、各要素が判定後サブデータに一対一で対応づけられ、所定の基準を満たす判定後サブデータに対応づけられた要素の値が１であり、該要素以外の要素の値が０である復調後データを生成する（ステップＳ２７０）。ステップＳ２３０において、同期部３３が正の相関関係を検出した場合には（ステップ２８０：Ｙ）、ステップＳ２９０の処理は行わず、処理を終了する。ステップＳ２３０において、同期部３３が負の相関関係を検出した場合には（ステップＳ２８０：Ｎ）、ステップＳ２７０で生成した復調後データの各要素を該要素を反転した値で置き換える（ステップＳ２９０）。ステップＳ２９０の処理が完了すると、処理を終了する。
【００６５】
以上説明した原理に従って、通信機１は例えば以下のように通信を行う。入力信号の要素の数が４であり、入力信号ｄは下記（１５）式で表されるとする。
【００６６】
【数１５】
0005712953.tif 000016
【００６７】
上記（１）式のａ＝４とすると、系列生成部１２は、下記（１６）式で表されるデータ系列を４等分してサブデータ系列を生成し、変調部１１に送る。添え字のＴは行列を転置表示していることを示す。データ系列の各要素は、上記（３）式で表され、Ｎ＝１６である。
【００６８】
【数１６】
0005712953.tif 000017
【００６９】
入力信号が所定の基準を満たす場合とは、値が１である要素の数が該入力信号の要素の数を２で除算した値以上である場合だとすると、上記（１５）式の入力信号は所定の基準を満たす。変調部１１は、サブデータ系列ｂ０の各要素に該サブデータ系列に対応づけた入力信号の要素ｄ０を乗算する。上述の演算を施したサブデータ系列ｂ’０は、下記（１７）式で表される。
【００７０】
【数１７】
0005712953.tif 000018
【００７１】
またサブデータ系列ｂ１に上述の演算を施したサブデータ系列ｂ’１、サブデータ系列ｂ２に上述の演算を施したサブデータ系列ｂ’２、およびサブデータ系列ｂ３に上述の演算を施したサブデータ系列ｂ’３は、それぞれ下記（１８）、（１９）、（２０）式で表される。
【００７２】
【数１８】
0005712953.tif 000019
【００７３】
【数１９】
0005712953.tif 000020
【００７４】
【数２０】
0005712953.tif 000021
【００７５】
変調部１１は、上述の演算を施したサブデータ系列を、系列生成部１２において分割したときの位置に並べて合成して変調データを生成する。変調データｂ’は、下記（２１）式で表される。
【００７６】
【数２１】
0005712953.tif 000022
【００７７】
ＩＦＦＴ部１３は、変調データのＩＦＦＴを行い、演算結果を合成部１４に送る。合成部１４は、ＩＦＦＴ部１３の演算結果を合成してデータシンボルを生成し、送信部１５に送る。送信部１５は、データシンボルを含む送信フレームを生成して、送受信切替部３７およびアンテナ１０を介して他の機器に送信する。
【００７８】
受信部３６は、アンテナ１０および送受信切替部３７を介してデータシンボルを含む送信フレームを受信し、ＦＦＴ部３５に送る。ＦＦＴ部３５は、データシンボルを直並列変換し、ＦＦＴを行って受信並列信号を生成する。系列生成部３４は、上記（１６）式で表される受信側データ系列を生成し、同期部３３に送る。受信側データ系列の各要素は、上記（３）式で表される。
【００７９】
同期部３３は、受信側データ系列と受信並列信号との相関分析を行い、相関関係の有無を検出する。相関関係を検出できない場合には、同期部３３は相関関係が無い旨をＦＦＴ部３５に通知し、ＦＦＴ部３５はデータシンボルを抽出するタイミングを変えてデータシンボルの直並列変換を行い、ＦＦＴを行い、同期部３３が相関分析を行うことを繰り返す。正の相関または負の相関を検出した場合には、同期部３３は、同期をとった受信並列信号および正の相関または負の相関を検出した旨を判定部３２に送る。この場合は、同期部３３は、正の相関を検出する。
【００８０】
判定部３２は、同期部３３で同期をとった受信並列信号に基づき、以下の処理を行う。判定部３２は、上記（２１）式で表される変調データに一致する受信並列信号または該受信並列信号を並直列変換したデータについて、絶対値が所定の閾値以上である要素の値を１に置き換え、該要素以外の要素の値を０に置き換えて判定後データを生成する。所定の閾値は、下記（２２）式で表されるように、受信並列信号の要素ごとに定められ、受信側データ系列において該要素と同じ位置にある要素の絶対値を２で除算した値を用いる。
【００８１】
【数２２】
0005712953.tif 000023
【００８２】
絶対値が所定の閾値以上である要素の値を１に置き換え、該要素以外の要素の値を０に置き換えて生成した判定後データｓは、下記（２３）式で表される。
【００８３】
【数２３】
0005712953.tif 000024
【００８４】
復調部３１は、判定後データを４等分して判定後サブデータｔ０、ｔ１、ｔ２、ｔ３を生成する。判定後サブデータｔ０は、下記（２４）式で表される。
【００８５】
【数２４】
0005712953.tif 000025
【００８６】
復調部３１は、同期部３３で正の相関関係を検出したので、各要素が判定後サブデータに一対一で対応づけられ、所定の基準を満たす判定後サブデータに対応づけられた要素の値が１であり、該要素以外の要素の値が０である復調後データを生成する。所定の基準を満たす場合とは、値が１である要素の数が該判定後サブデータの要素の数を２で除算した値以上である場合だとすると、判定後サブデータｔ０に対応づけた復調後データの要素は１となる。他の判定後サブデータに基づき同様に復調後データの要素の値を決定すると、復調後データは下記（２５）式で表される。
【００８７】
【数２５】
0005712953.tif 000026
【００８８】
上述の処理により、受信側で入力信号が復元できたことがわかる。次に、要素の数が４である、下記（２６）式で表される入力信号ｄを用いる。
【００８９】
【数２６】
0005712953.tif 000027
【００９０】
系列生成部１２は、上記（１６）式で表されるデータ系列を４等分してサブデータ系列を生成し、変調部１１に送る。データ系列の各要素は、上記（３）式で表される。入力信号が所定の基準を満たす場合とは、値が１である要素の数が該入力信号の要素の数を２で除算した値以上である場合だとすると、上記（２６）式で表される入力信号は所定の基準を満たさない。変調部１１は、サブデータ系列ｂ０の各要素の符号を反転し、該サブデータ系列に対応づけた入力信号の要素ｄ０を反転して乗算する。上述の演算を施したサブデータ系列ｂ’０は、下記（２７）式で表される。
【００９１】
【数２７】
0005712953.tif 000028
【００９２】
またサブデータ系列ｂ１に上述の演算を施したサブデータ系列ｂ’１、サブデータ系列ｂ２に上述の演算を施したサブデータ系列ｂ’２、およびサブデータ系列ｂ３に上述の演算を施した演算後サブデータ系列ｂ’３は、それぞれ下記（２８）、（２９）、（３０）式で表される。
【００９３】
【数２８】
0005712953.tif 000029
【００９４】
【数２９】
0005712953.tif 000030
【００９５】
【数３０】
0005712953.tif 000031
【００９６】
変調部１１は、上述の演算を施したサブデータ系列を、系列生成部１２において分割したときの位置に並べて合成して変調データを生成する。変調データｂ’は、下記（３１）式で表される。
【００９７】
【数３１】
0005712953.tif 000032
【００９８】
ＩＦＦＴ部１３は、変調データのＩＦＦＴを行い、演算結果を合成部１４に送る。合成部１４は、ＩＦＦＴ部１３の演算結果を合成してデータシンボルを生成し、送信部１５に送る。送信部１５は、データシンボルを含む送信フレームを生成して、送受信切替部３７およびアンテナ１０を介して他の機器に送信する。
【００９９】
受信部３６は、アンテナ１０および送受信切替部３７を介してデータシンボルを含む送信フレームを受信し、ＦＦＴ部３５に送る。ＦＦＴ部３５は、データシンボルを抽出して直並列変換し、ＦＦＴを行って受信並列信号を生成する。系列生成部３４は、上記（１６）式で表される受信側データ系列を生成し、同期部３３に送る。受信側データ系列の各要素は、上記（３）式で表される。
【０１００】
同期部３３は、受信側データ系列と受信並列信号との相関分析を行い、相関関係の有無を検出する。相関関係を検出できない場合には、同期部３３は相関関係が無い旨をＦＦＴ部３５に通知し、ＦＦＴ部３５はデータシンボルを抽出するタイミングを変えてデータシンボルの直並列変換を行い、ＦＦＴを行い、同期部３３が相関分析を行うことを繰り返す。正の相関または負の相関を検出した場合には、同期部３３は、同期をとった受信並列信号および正の相関または負の相関を検出した旨を判定部３２に送る。この場合は、同期部３３は、負の相関を検出する。
【０１０１】
判定部３２は、同期部３３で同期をとった受信並列信号に基づき、以下の処理を行う。判定部３２は、上記（３１）式で表される変調データに一致する受信並列信号または該受信並列信号を並直列変換したデータについて、絶対値が所定の閾値以上である要素の値を１に置き換え、該要素以外の要素の値を０に置き換えて判定後データを生成する。所定の閾値は、上記（２２）式で表されるように、受信並列信号の要素ごとに定められ、受信側データ系列において該要素と同じ位置にある要素の絶対値を２で除算した値を用いる。
【０１０２】
絶対値が所定の閾値以上である要素の値を１に置き換え、該要素以外の要素の値を０に置き換えて生成した判定後データｓは、下記（３２）式で表される。
【０１０３】
【数３２】
0005712953.tif 000033
【０１０４】
復調部３１は、判定後データを４等分して判定後サブデータｔ０、ｔ１、ｔ２、ｔ３を生成する。判定後サブデータｔ０は、上記（２４）式で表される。
【０１０５】
復調部３１は、同期部３３で負の相関関係を検出したので、各要素が判定後サブデータに一対一で対応づけられ、所定の基準を満たす判定後サブデータに対応づけられた要素の値が１であり、該要素以外の要素の値が０である復調後データを生成し、復調後データの各要素を該要素を反転した値で置き換える。所定の基準を満たす場合とは、値が１である要素の数が該判定後サブデータの要素の数を２で除算した値以上である場合だとすると、判定後サブデータｔ０に対応づけた復調後データの要素は１となり、該要素を反転した値は０となる。他の判定後サブデータに基づき同様に復調後データの要素の値を決定して、該要素を反転した値で置き換えると、復調後データは下記（３３）式で表される。上述の処理により、受信側で入力信号が復元できたことがわかる。
【０１０６】
【数３３】
0005712953.tif 000034
【０１０７】
以上説明したとおり、本発明の実施の形態に係る通信機１によれば、ＯＦＤＭ通信方式において、入力信号に基づきデータ系列に所定の演算を施し、ベースバンド信号を生成することでＰＡＰＲを低減することが可能となる。また後述するように、ＰＡＰＲを低減し、ＰＡＰＲの低減の程度を制御することが可能となる。
【０１０８】
（具体例）
次に、シミュレーションにより本実施の形態に係る発明の効果を説明する。入力信号にランダム信号を用いて、従来技術と本実施の形態に係る発明について、データシンボルを生成し、ＰＡＰＲの算出を繰り返すシミュレーションを行った。入力信号の要素数を６４とし、従来技術と本実施の形態に係る発明のＰＡＰＲのＣＣＤＦ（Complementary  Cumulative  Distribution  Function：相補累積分布関数）、すなわちＰＡＰＲの発生確率の特性を比較した。従来技術においては、入力信号をＱＰＳＫ（Quadrature  Phase-Shift  Keying：四位相偏移変調）で変調した変調信号を直並列変換し、周波数成分が互いに直交するサブキャリアに割り当ててサブキャリア変調信号を生成した。そしてサブキャリア変調信号のＩＦＦＴを行って合成し、データシンボルを生成した。ＦＦＴサイズは３２とした。
【０１０９】
図７は、シミュレーションしたベースバンド信号のＰＡＰＲのＣＣＤＦ特性を示す図である。横軸はＰＡＰＲ（単位：ｄＢ）、縦軸はＰＡＰＲのＣＣＤＦである。本実施の形態においては各要素が上記（３）式で表されるＣＡＺＡＣ系列を用い、上記（１）式のａを変えてシミュレーションを行った。図７（ａ）、（ｂ）、（ｃ）において、従来技術のＰＡＰＲのＣＣＤＦ特性が太い実線のグラフである。図７（ａ）においては、本実施の形態においてａ＝１の場合が細い実線のグラフであり、ａ＝２の場合が点線のグラフであり、ａ＝４の場合が一点鎖線のグラフである。図７（ｂ）においては、本実施の形態においてａ＝８の場合が細い実線のグラフであり、ａ＝１６の場合が点線のグラフであり、ａ＝３２の場合が一点鎖線のグラフである。図７（ｃ）においては、本実施の形態においてａ＝６４の場合が細い実線のグラフであり、ａ＝１２８の場合が点線のグラフであり、ａ＝２５６の場合が一点鎖線のグラフである。ａを大きくするにつれて、ＰＡＰＲの低減の程度が向上していることがわかる。
【０１１０】
図８、図９は、シミュレーションしたＩＦＦＴ部の演算結果の信号点配置図である。本実施の形態について、あるランダム信号を用い、上記（１）式のａを変えて、データ系列に入力信号に基づく演算を施し、ＩＦＦＴを行うシミュレーションを行った。図８（ａ）はａ＝１の場合の信号点配置図であり、図８（ｂ）はａ＝２の場合の信号点配置図であり、図８（ｃ）はａ＝４の場合の信号点配置図であり、図８（ｄ）はａ＝８の場合の信号点配置図であり、図８（ｅ）はａ＝１６の場合の信号点配置図であり、図８（ｆ）はａ＝３２の場合の信号点配置図であり、図９（ａ）はａ＝６４の場合の信号点配置図であり、図９（ｂ）はａ＝１２８の場合の信号点配置図であり、図９（ｃ）はａ＝２５６の場合の信号点配置図である。ａを大きくするにつれて、ＩＦＦＴ部１３の演算結果に対応する複素平面上の点は、複素平面の原点を中心とする円の中に位置するようになることがわかる。
【０１１１】
上述のシミュレーションにより、本実施の形態においては、入力信号に基づきデータ系列に所定の演算を施し、ベースバンド信号を生成することでＰＡＰＲを低減できることがわかった。またデータ系列の要素数を変更することでＰＡＰＲの低減の程度を制御できることがわかった。
【０１１２】
本発明の実施の形態は上述の実施の形態に限られない。図１０は、実施の形態に係る通信機の異なる構成例を示す図である。図２に示す通信機１の構成に加え、ＩＦＦＴ部３８を備える。上述の実施の形態と異なる受信側での処理について説明する。系列生成部３４は、受信側データ系列を生成し、ＩＦＦＴ部３８に送る。ＩＦＦＴ部３８は、受信側データ系列のＩＦＦＴを行って合成したデータを同期部３３に送る。同期部３３は、受信側データ系列のＩＦＦＴを行って合成したデータとデータシンボルとの相関関係に基づきデータシンボルの同期位置を検出し、同期をとったデータシンボルおよび正の相関または負の相関を検出した旨をＦＦＴ部３５に送る。ＦＦＴ部３５は、同期部３３で同期をとったデータシンボルの直並列変換およびＦＦＴを行い、受信並列信号および同期部３３で正の相関または負の相関を検出した旨を判定部３２に送る。
【０１１３】
図１１は、実施の形態に係る通信機が行う受信制御の動作の他の一例を示すフローチャートである。ステップＳ２１０は、図６に示す受信制御の動作と同様である。同期部３３は、受信側データ系列のＩＦＦＴを行って合成したデータとデータシンボルとの相関関係に基づきデータシンボルの同期位置を検出する（ステップＳ２１１）。ＦＦＴ部３５は、データシンボルの直並列変換およびＦＦＴを行う（ステップＳ２２０）。後続のステップＳ２５０〜Ｓ２９０までの処理は、図６に示す受信制御の動作と同様である。
【０１１４】
系列生成部１２の処理を変調部１１で行うよう構成してもよい。ＩＦＦＴ部１３、３８は、ＩＦＦＴの代わりにＩＤＦＴを行うよう構成してもよいし、ＦＦＴ部３５は、ＦＦＴの代わりにＤＦＴを行うよう構成してもよい。系列生成部１２は、ＣＡＺＡＣ系列の他に、ＰＮ（Pseudorandom Noise：擬似ランダム雑音）系列などを用いることができる。受信側での並直列変換については、判定部３２で受信並列信号の並直列変換をしてもよいし、復調部３１で並列信号である復調後データを生成し、復調後データの並直列変換を行ってもよい。
【符号の説明】
【０１１５】
１  通信機
１０  アンテナ
１１  変調部
１２  系列生成部
１３  ＩＦＦＴ部
１４  合成部
１５  送信部
２０  コントローラ
２１  ＣＰＵ
２２  Ｉ／Ｏ
２３  ＲＡＭ
２４  ＲＯＭ
３１  復調部
３２  判定部
３３  同期部
３４  系列生成部
３５  ＦＦＴ部
３６  受信部
３７  送受信切替部
３８  ＩＦＦＴ部
【図１】
0005712953.tif 000035
【図２】
0005712953.tif 000036
【図３】
0005712953.tif 000037
【図４】
0005712953.tif 000038
【図５】
0005712953.tif 000039
【図６】
0005712953.tif 000040
【図７】
0005712953.tif 000041
【図８】
0005712953.tif 000042
【図９】
0005712953.tif 000043
【図１０】
0005712953.tif 000044
【図１１】
0005712953.tif 000045